(57)【特許請求の範囲】
【請求項１】
液透過性の表面シートと、液不透過性の裏面シートと、前記表面シートと前記裏面シートとの間に配置される吸収体とを有する吸収性物品であって、
前記吸収性物品の長手方向に沿って、前記表面シートから前記吸収体までを圧搾するように構成されている圧搾溝が設けられており、
前記圧搾溝は、少なくとも中央圧搾溝及び後方圧搾溝に分断されており、
前記長手方向において、前記中央圧搾溝は、前記吸収性物品の排泄口当接領域の中心線を跨ぐように設けられており、
前記長手方向において、前記後方圧搾溝は、前記排泄口当接領域の中心線よりも後方に設けられており、
前記長手方向において、前記中央圧搾溝の後方端部は、前記後方圧搾溝の前方端部よりも後方に設けられており、
前記吸収性物品の幅方向において、前記中央圧搾溝の後方端部は、前記後方圧搾溝の前方端部よりも外側に設けられており、
前記裏面シートの衣服当接面側において、前記吸収性物品における一方の側縁部から他方の側縁部まで前記幅方向に延びている領域であって、前記中央圧搾溝の後方端部及び前記後方圧搾溝の前方端部を含む領域に対応する領域である重複領域が設けられており、
前記裏面シートの衣服当接面を下着の内面に接着する接着剤は、前記重複領域に塗工されておらず、前記裏面シートの衣服当接面側における前記重複領域以外の領域に塗工されていることを特徴とする吸収性物品。
【請求項２】
前記中央圧搾溝は、前記長手方向の後方領域において、前記後方端部に向かうに連れて、前記幅方向の外側に広がるように形成されていることを特徴とする請求項１に記載の吸収性物品。
【請求項３】
前記後方圧搾溝は、前記長手方向の前方領域において、前記前方端部に向かうに連れて、前記幅方向の内側に狭まるように形成されていることを特徴とする請求項１又は２に記載の吸収性物品。
【請求項４】
前記後方圧搾溝は、少なくとも第１後方圧搾溝と第２後方圧搾溝とに分断されており、
前記第１後方圧搾溝の後方端部は、前記第２後方圧搾溝の前方端部に対して、前記長手方向の後方で、かつ、前記幅方向の内側に設けられていることを特徴とする請求項１乃至３のいずれか一項に記載の吸収性物品。
【請求項５】
前記裏面シートの衣服当接面側において、前記中央圧搾溝が設けられている領域に対応する中央領域、及び、前記中央領域よりも前記長手方向の後方に設けられている後方領域が設けられており、
前記中央領域では、前記裏面シートの衣服当接面を下着の内面に接着する接着剤は、前記中央圧搾溝の前記幅方向の外側に対応する領域に塗工されておらず、前記中央圧搾溝の前記幅方向の内側に対応する領域に塗工されており、
前記後方領域では、前記接着剤は、前記幅方向の中心線の周辺領域に塗工されておらず、前記幅方向の中心線の周辺領域の前記幅方向の外側に塗工されていることを特徴とする請求項１乃至４のいずれか一項に記載の吸収性物品。
【請求項６】
前記幅方向の両外側に延出する中央ウィング部が設けられており、
前記排泄口当接領域の中心線は、前記長手方向における前記中央ウィング部の中心線に一致することを特徴とする請求項１乃至５のいずれか一項に記載の吸収性物品。
【請求項７】
前記幅方向の両外側に延出する中央ウィング部が設けられておらず、
前記排泄口当接領域の中心線は、前記吸収性物品の前記幅方向の長さ寸法が最も短い位置において前記幅方向に延びる線であることを特徴とする請求項１乃至５のいずれか一項に記載の吸収性物品。
【発明の詳細な説明】
【技術分野】
【０００１】
本発明は、吸収性物品に関する。
【背景技術】
【０００２】
従来、表面シートから吸収体までを圧搾するように構成されている圧搾溝が設けられている吸収性物品が知られている（例えば、特許文献１参照）。
【０００３】
かかる圧搾溝によって、吸収性物品の剛性を高めることができ、かかる吸収性物品が長時間着用された場合であっても、縒れやズレが発生することを防止することができる。
【先行技術文献】
【特許文献】
【０００４】
【特許文献１】特開２００７-７４５６号公報
【発明の概要】
【発明が解決しようとする課題】
【０００５】
しかしながら、出願人は、上述の吸収体物品について、以下のような問題点を発見した。
【０００６】
特許文献１の図１に示すような吸収性物品では、上述のような圧搾溝が、吸収性物品の長手方向に沿って分断されること無く設けられているため、かかる吸収性物品は、着用者の体の凹凸に合わせて柔軟に変形することができず、着用者の体へのフィット性が損なわれてしまうという問題点がある。
【０００７】
また、特許文献１の図１０に示すような吸収性物品では、長手方向において、分断されている圧搾溝の間に、隙間部分が設けられているため、かかる隙間部分が縒れて、体液の漏れが発生する恐れがあるという問題点がある。
【０００８】
そこで、本発明は、上述の課題に鑑みてなされたものであり、着用者の体の凹凸に合わせて柔軟に変形することができる吸収性物品を提供することを目的とする。
【課題を解決するための手段】
【０００９】
本発明の第１の特徴は、液透過性の表面シートと、液不透過性の裏面シートと、前記表面シートと前記裏面シートとの間に配置される吸収体とを有する吸収性物品であって、前記吸収性物品の長手方向に沿って、前記表面シートから前記吸収体までを圧搾するように構成されている圧搾溝が設けられており、前記圧搾溝は、少なくとも中央圧搾溝及び後方圧搾溝に分断されており、前記長手方向において、前記中央圧搾溝は、前記吸収性物品の排泄口当接領域の中心線を跨ぐように設けられており、前記長手方向において、前記後方圧搾溝は、前記排泄口当接領域の中心線よりも後方に設けられており、前記長手方向において、前記中央圧搾溝の後方端部は、前記後方圧搾溝の前方端部よりも後方に設けられており、前記吸収性物品の幅方向において、前記中央圧搾溝の後方端部は、前記後方圧搾溝の前方端部よりも外側に設けられていることを要旨とする。
【発明の効果】
【００１０】
以上説明したように、本発明によれば、着用者の体の凹凸に合わせて柔軟に変形することができる吸収性物品を提供することができる。
【図面の簡単な説明】
【００１１】
【図１】本発明の第１の実施形態に係る吸収性物品の肌当接面側から見た平面図である。
【図２】本発明の第１の実施形態に係る吸収性物品の肌当接面側から見た平面図におけるａ-ａ断面図及びｂ-ｂ断面図である。
【図３】本発明の第１の実施形態に係る吸収性物品の衣服当接面側から見た平面図である。
【図４】本発明の第１の実施形態に係る吸収性物品の製造方法について説明するための図である。
【図５】本発明の第１の実施形態に係る吸収性物品が着用される際に変形する様子を説明するための図である。
【図６】本発明の第２の実施形態に係る吸収性物品の肌当接面側から見た平面図である。
【発明を実施するための形態】
【００１２】
（本発明の第１の実施形態）
図１乃至図５を参照して、本発明の第１の実施形態に係る吸収性物品１について説明する。例えば、本実施形態に係る吸収性物品１は、紙おむつや失禁パッドや生理用ナプキン等である。
【００１３】
図１、図２（ａ）及び図２（ｂ）に示すように、本実施形態に係る吸収性物品１には、長手方向Ｌに沿って、表面シート１１から吸収体１０までを圧搾するように構成されている圧搾溝が設けられている。
【００１４】
図１に示すように、かかる圧搾溝は、中央圧搾溝２１と、第１後方圧搾溝２２と、第２後方圧搾溝２３と、第３後方圧搾溝２４とに分断されている。
【００１５】
中央圧搾溝２１は、長手方向Ｌにおいて、吸収性物品１の排泄口当接領域の中心線（ａ-ａ）を跨ぐように設けられている。
【００１６】
一方、長手方向Ｌにおいて、第１後方圧搾溝２２、第２後方圧搾溝２３及び第３後方圧搾溝２４は、排泄口当接領域の中心線（ａ-ａ）よりも後方に設けられている。
【００１７】
なお、本実施形態に係る吸収性物品１の排泄口当接領域は、吸収性物品１において着用者の膣口に当接する領域であり、例えば、着用者の下着に吸収性物品１が着用される際に、下着の２つの足回り開口の間に配置される領域である。
【００１８】
また、本実施形態に係る吸収性物品１は、排泄口当接領域において、幅方向Ｗの両外側に延出するように形成されている１対の中央ウィング部４０を有していてもよい。さらに、本実施形態に係る吸収性物品１は、長手方向Ｌにおいて、中央ウィング部４０の後方に、１対の後方ウィング部４１を有していてもよい。
【００１９】
ここで、着用者は、吸収性物品１を下着に着用する際に、中央ウィング部４０を下着のクロッチに巻き込み、後方ウィング部４１を下着の上に広げて、吸収性物品１を下着に固定する。
【００２０】
そのため、例えば、本実施形態に係る吸収性物品１において、中央ウィング部４０が設けられている場合、上述の排泄口当接領域の中心線（ａ-ａ）は、長手方向Ｌにおける中央ウィング部４０の中心線に一致する。
【００２１】
なお、中央ウィング部４０が設けられていない場合、着用者は、吸収性物品１を下着に着用する際に、吸収性物品１の幅方向Ｗの長さ寸法が最も短い位置を、下着のクロッチに合わせて、吸収性物品１を下着に固定する。
【００２２】
そのため、例えば、本実施形態に係る吸収性物品１において、中央ウィング部４０が設けられていない場合、上述の排泄口当接領域の中心線（ａ-ａ）は、吸収性物品１の幅方向Ｗの長さ寸法が最も短い位置において幅方向Ｗに延びる線である。
【００２３】
また、長手方向Ｌにおいて、中央圧搾溝２１の後方端部２１Ｂは、第１後方圧搾溝２２の前方端部２２Ｆよりも後方に設けられている。
【００２４】
さらに、幅方向Ｗにおいて、中央圧搾溝２１の後方端部２１Ｂは、第１後方圧搾溝２２の前方端部２２Ｆよりも外側に設けられている。
【００２５】
ここで、中央圧搾溝２１は、長手方向Ｌの後方領域２１２において、後方端部２１Ｂに向かうに連れて、幅方向Ｗの外側に広がるように形成されていてもよいし、幅方向Ｗの外側に広がらないように形成されていてもよい。
【００２６】
一方、中央圧搾溝２１は、長手方向Ｌの前方領域２１１において、分断されていてもよいし、分断されることなく繋がっていてもよい。
【００２７】
また、第１後方圧搾溝２２は、長手方向Ｌの前方領域２２１において、前方端部２２Ｆに向かうに連れて、幅方向Ｗの内側に狭まるように形成されていてもよいし、幅方向Ｗの内側に狭まらないように形成されていてもよい。
【００２８】
さらに、長手方向Ｌにおいて、第１後方圧搾溝２２の後方端部２２Ｂは、第２後方圧搾溝２３の前方端部２３Ｆよりも後方に設けられていてもよい。
【００２９】
また、幅方向Ｗにおいて、第１後方圧搾溝２２の後方端部２２Ｂは、第２後方圧搾溝２３の前方端部２３Ｆよりも内側に設けられていてもよい。
【００３０】
ここで、第１後方圧搾溝２２は、長手方向Ｌの後方領域２２２において、後方端部２２Ｂに向かうに連れて、幅方向Ｗの内側に狭まるように形成されていてもよいし、幅方向Ｗの内側に狭まらないように形成されていてもよい。
【００３１】
なお、第２後方圧搾溝２３は、長手方向Ｌの前方領域２３１において、前方端部２３Ｆに向かうに連れて、幅方向Ｗの外側に広がるように形成されていてもよいし、幅方向Ｗの外側に広がらないように形成されていてもよい。
【００３２】
一方、第２後方圧搾溝２３は、長手方向Ｌの後方領域２３２において、分断されていてもよいし、分断されることなく繋がっていてもよい。
【００３３】
図２（ａ）及び図２（ｂ）に示すように、本実施形態に係る吸収性物品１は、液透過性の表面シート１１と、液不透過性の裏面シート１２と、中央ウィング部４０を構成するサイドシート１３と、表面シート１１と裏面シート１３との間に配置される吸収体１０とを有する。なお、本実施形態に係る吸収性物品１は、表面シート１１と吸収体１０との間に、セカンドシート１２を有していてもよい。
【００３４】
吸収体１０は、粉砕パルプ及び高分子吸収ポリマーと両者を包み込むコアラップとによって構成されている。ここで、高分子ポリマーは、アクリル酸ナトリウム共重合体の粒状のポリマーである。
【００３５】
また、コアラップは、液体を吸収する任意の材料のシートである。例えば、コアラップとして、ティッシュを用いてもよいし、親水性繊維や粉砕パルプをエアレイド法によってシート状にしたエアレイドシートを用いてもよい。
【００３６】
また、本実施形態に係る吸収性物品１には、長手方向Ｌに沿って防漏壁３０が設けられていてもよい。かかる防漏壁３０は、中空上に折り畳まれた防漏シート３１と、防漏シート３１内に伸張状態で配置された弾性部材３２とによって構成されている。
【００３７】
図３に示すように、本実施形態に係る吸収性物品１では、裏面シートの衣服当接面側において、裏面シート１２の衣服当接面を下着の内面に接着する接着剤が塗工されている。
【００３８】
例えば、かかる接着剤は、中央ウィング部４０内の領域４０Ａや後方ウィング部４１内の領域４１Ａに塗工されている。
【００３９】
なお、かかる接着剤は、重複領域Ｘに塗工されておらず、裏面シート１２の衣服当接面側における重複領域Ｘ以外の領域に塗工されている。
【００４０】
ここで、図３に示すように、重複領域Ｘは、裏面シート１２の衣服当接面側において、吸収性物品１における一方の側縁部から他方の側縁部まで幅方向Ｗに延びている領域であって、中央圧搾溝２１の後方端部２１及び後方圧搾溝２２の前方端部２２Ｆを含む領域に対応する領域である。
【００４１】
かかる構成によれば、重複領域Ｘにおいて、吸収性物品１と下着とが接着されないため、着用者の寝返り等による下着の挙動に影響されることなく、吸収性物品１が着用者の体の凹凸にフィットしやすくなる。
【００４２】
次に、図４を参照して、本実施形態に係る吸収性物品１の製造方法の一部について説明する。なお、図４に記載されていない方法については、既存の方法を用いることができる。
【００４３】
図４に示すように、ステップＳ１０１において、粉砕されたパルプ及び吸収ポリマーの積層体１０Ａをコアラップ１０Ｂでラッピングすることによって吸収体１０を生成する。
【００４４】
ステップＳ１０２において、連続搬送されている表面シート１１用ウェブ１１Ａ上に吸収体２０を配置し、接着剤によって表面シート１１用ウェブ１１Ａ及び吸収体１０を貼り合わせる。
【００４５】
ステップＳ１０３において、貼り合わされた表面シート１１用ウェブ１１Ａ及び吸収体１０に対して、加圧ロール１００Ａ及び１００Ｂを用いた圧縮加工を施すことによって、中央圧搾溝２１、第１後方圧搾溝２２、第２後方圧搾溝２３及び第３後方圧搾溝２４を形成する。
【００４６】
ステップＳ１０４において、圧縮加工が施された表面シート１１用ウェブ１１Ａ及び吸収体１０に対して、裏面シート１２用ウェブ１２Ａを貼り合わせる。
【００４７】
ステップＳ１０５において、貼り合わせられた表面シート１１用ウェブ１１Ａ、吸収体１０及び裏面シート１２用ウェブ１２Ａを、製品カッターを用いて、所定の寸法及び形状にカットすることによって、吸収性物品１を生成する。
【００４８】
本実施形態に係る吸収性物品１によれば、中央圧搾溝２１と後方圧搾溝２２乃至２４とが分断されているため、着用者の股間部から中央圧搾溝２１に伝わる力が、後方圧搾溝２２乃至２４に直接的に伝わらないため、吸収性物品１が、着用者の体の凹凸に合わせて柔軟に変形することができる。
【００４９】
具体的には、排泄口当接領域の中心線（ａ-ａ）の周辺、すなわち、着用者の股間部に当接する領域では、図５（ａ）に示すように、吸収体１０の側縁部が、着用者の股間部からの力によって、中央圧搾溝２１に沿って起立するように構成されているため、かかる吸収性物品１が、着用者の体の凹凸に隙間なくフィットすることができる。
【００５０】
一方、排泄口当接領域の中心線（ａ-ａ）の長手方向Ｌの後方（例えば、図１に示す幅方向の線（ｃ-ｃ））、すなわち、着用者の臀部に当接する領域では、図５（ｂ）に示すように、着用者の股間部からの力が、中央圧搾溝２１を介して後方圧搾溝２２乃至２４に直接的に伝わらないため、吸収体１０の側縁部が、起立せず、かかる吸収性物品１が、着用者の体の凹凸に隙間なくフィットすることができる。
【００５１】
また、本実施形態に係る吸収性物品１によれば、長手方向Ｌにおいて、中央圧搾溝２１の後方端部２１Ｂは、第１後方圧搾溝２２の前方端部２２Ｆよりも後方に設けられているため、中央圧搾溝２１及び第１後方圧搾溝２２の両方によって、幅方向Ｗに流れる体液を吸収することができ、幅方向Ｗにおける体液の漏れを防止することができる。
【００５２】
また、本実施形態に係る吸収性物品１によれば、長手方向Ｌにおいて、中央圧搾溝２１の後方端部２１Ｂは、第１後方圧搾溝２２の前方端部２２Ｆよりも後方に設けられているため、長手方向Ｌにおいて、中央圧搾溝２１と第１後方圧搾溝２２との間に、隙間部分が存在せず、かかる隙間部分が縒れに起因する体液の漏れを防止することができる。
【００５３】
また、本実施形態に係る吸収性物品１によれば、中央圧搾溝２１が、長手方向Ｌの後方領域２１２において、後方端部２１Ｂに向かうに連れて、幅方向Ｗの外側に広がるように形成されている場合には、中央圧搾溝２１において、着用者の股間部からの力を、幅方向Ｗの外側に誘導することによって、より確実に後方圧搾溝２２乃至２４に伝わらないようにすることができる。
【００５４】
また、本実施形態に係る吸収性物品１によれば、後方圧搾溝２２が、長手方向Ｌの前方領域２２１において、前方端部２２Ｆに向かうに連れて、幅方向Ｗの内側に狭まるように形成されている場合には、着用者の股間部からの力が、中央圧搾溝２１を介して後方圧搾溝２２に、より伝わり難くなる。
【００５５】
さらに、本実施形態に係る吸収性物品１によれば、第１後方圧搾溝２２が、長手方向Ｌの後方領域２２２において、後方端部２２Ｂに向かうに連れて、幅方向Ｗの内側に狭まることによって、吸収性物品１の幅方向Ｗの変形を抑制しつつ、吸収性物品１の長手方向Ｌには曲がりやすいので、吸収性物品１が、着用者の尻のカーブにフィットしやすくなる。
【００５６】
（本発明の第２の実施形態）
図６を参照して、本発明の第２の実施形態に係る吸収性物品１について説明する。以下、本実施形態に係る吸収性物品１について、上述の第１の実施形態に係る吸収性物品１との相違点に着目して説明する。
【００５７】
図６に示すように、本実施形態に係る吸収性物品１において、中央領域Ａでは、裏面シート１２の衣服当接面を下着の内面に接着する接着剤は、中央圧搾溝２１の幅方向Ｗの外側に対応する領域に塗工されておらず、中央圧搾溝２１の幅方向Ｗの内側に対応する領域に塗工されている。
【００５８】
ここで、中央領域Ａにおいて、かかる接着剤は、中央圧搾溝２１の幅方向Ｗの内側に対応する領域の少なくとも一部に塗工されていればよく、例えば、図６に示すように、中央圧搾溝２１の幅方向Ｗの内側に対応する領域内の略長方形形状の領域に塗工されていてもよい。
【００５９】
なお、中央領域Ａにおいて、かかる接着剤は、中央圧搾溝２１に対応する領域の少なくとも一部に塗工されていてもよい。
【００６０】
一方、図６に示すように、本実施形態に係る吸収性物品１において、後方領域Ｂでは、かかる接着剤は、幅方向Ｗの中心線Ｏの周辺領域に塗工されておらず、幅方向Ｗの中心線Ｏの周辺領域の幅方向Ｗの外側に塗工されている。
【００６１】
ここで、後方領域Ｂにおいて、かかる接着剤は、幅方向Ｗの中心線Ｏの周辺領域の幅方向Ｗの外側であれば、第１後方圧搾溝２２の幅方向Ｗの内側に対応する領域、第１後方圧搾溝２２の幅方向Ｗの外側に対応する領域及び第１後方圧搾溝２２に対応する領域のいずれに塗工されていてもよい。
【００６２】
例えば、図６に示すように、後方領域Ｂにおいて、かかる接着剤は、第１後方圧搾溝２２の幅方向Ｗの内側に対応する領域、第１後方圧搾溝２２の幅方向Ｗの外側に対応する領域及び第１後方圧搾溝２２に対応する領域に跨って塗工されていてもよい。
【００６３】
また、図６に示すように、かかる接着剤の後方領域Ｂにおける塗工位置、かかる接着剤の中央領域Ａにおける塗工位置よりも、幅方向Ｗの外側に設けられていてもよい。
【００６４】
ここで、中央領域Ａは、裏面シート１２の衣服当接面側において、中央圧搾溝２１が設けられている領域に対応する領域であり、後方領域Ｂは、中央領域Ａよりも長手方向Ｌの後方に設けられている領域である。
【００６５】
本実施形態に係る吸収性物品１によれば、中央領域Ａでは、吸収体１０の側縁部が起立しやすくなり、後方領域Ｂでは、幅方向Ｗの中心線Ｏの周辺領域が変形しやすくなるため、着用者の体の凹凸に隙間なくフィットしやすくなる。
【００６６】
（変更例）
上述の第１及び第２の実施形態に係る吸収性物品１において、防漏壁３０が、長手方向Ｌにおいて、中央圧搾溝２１が設けられている領域（例えば、図６における中央領域Ａに対応）内に設けられるように構成されていてもよい。
【００６７】
かかる構成によれば、防漏壁３０の収縮が、中央圧搾溝２１が設けられている領域内で完結できるので、中央圧搾溝２１及び第１後方領域の連動性を低下させることができる。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
１…吸収性物品
１０…吸収体
１１…表面シート
１２…裏面シート
１３…サイドシート
２１…中央圧搾溝
２２…第１後方圧搾溝
２３…第２後方圧搾溝
２４…第３後方圧搾溝
３０…防漏壁
３１…防漏シート
４０…中央ウィング部
４１…後方ウィング部
【図１】
0005543847.tif 000002
【図２】
0005543847.tif 000003
【図３】
0005543847.tif 000004
【図４】
0005543847.tif 000005
【図５】
0005543847.tif 000006
【図６】
0005543847.tif 000007